(57)【特許請求の範囲】
【請求項１】
絶縁性のソケット本体と、このソケット本体内に収納され、ランプピンを保持するランプピン保持ばね部及び外部から挿入される電線を接続する端子部が一体に形成された一対の導電板とから構成され、
前記ランプピン保持ばね部は前記導電板の基部の一端側を略直角以上に折り曲げることにより形成され、該ランプピン保持ばね部の先端付近には側面視山形状部が形成されており、前記速結端子部は前記導電板基部の他端側を前記ランプピン保持ばね部の位置する側と同じ側に略直角に折り曲げ形成され、前記導電板基部におけるランプピン保持ばね部形成のための折り曲げ部分の内側が前記速結端子部に挿入された電線の延長線上に配置されている速結端子装置において、
前記山形状部を導電板基部から遠ざかる方向に突出させることにより、ランプピン保持ばね部の山形状部への変曲部にランプピン保持部を形成し、
前記山形状部の先端を該ランプピン保持ばね部の延長線よりも導電板基部側へ突出させ、
ランプピンが前記ランプピン保持部によって保持されていないとき、前記速結端子部より挿入された電線の先端が前記ランプピン保持ばね部の先端と導電板基部の間を通過し得るように構成され、
ランプピンが前記ランプピン保持部によって保持されているとき、前記ランプピン保持ばね部の先端が、前記導電板基部とランプピン保持ばね部との間に挿入された電線に当接することを特徴とする速結端子装置。
【請求項２】
請求項１に記載の速結端子装置を引っ掛け型グローランプに適用したことを特徴とするグロースタータソケット。
【発明の詳細な説明】
【０００１】
【発明の属する技術分野】
本発明は、ランプのランプピンを保持すると共に電線をワンタッチで接続する速結端子装置と、それを用いたグロースタータソケットに関する。
【０００２】
【従来の技術】
従来、蛍光灯のランプソケットに使用される速結端子装置として、実開昭５５−９６５８２号公報、実開平５−１５３７８号公報等に示される構成が知られている。この種の従来構成について図８乃至図１１により説明する。図８及び図９に示したソケットに採用されている速結端子装置は、絶縁性のボディ１０１に一対の導電金具１０２を収納して構成され、ボディ１０１に形成されたランプピン挿入口１０３からランプピン１０５が挿入され、また、ボディ１０１に形成された電線挿入口１０６から電線１０７が挿入されて導電金具１０２に接続されるようになっている。導電金具１０２には、電線１０７の芯線１０８を接続する速結端子部１０９と、ランプピン１０５を当接保持するランプピン保持部１１０とが一体に折り曲げ形成されている。
【０００３】
速結端子部１０９は、導電金具１０２の基片１１１の一端側をほぼ直角に曲折形成した連結片１１２と、この連結片１１２の先端側には基片１１１に近接するように曲折形成した鎖錠ばね部１１３とから成る。ランプピン保持部１１０は、基片１１１の他端側を連結片１１２の曲折と同じ側に直角以上に折り返すことにより袋状に形成されており、その一部に基片１１１に近づく方向に突出した（ライトピン側からは凹形状）ライトピン係合部１１５が設けられている。連結片１１２には芯線１０８を挿入するための挿入孔１１４が設けられている。また、基片１１１の途中はクランク状に曲折した接続片１１８とされ、ここに芯線１０８を挿通させるための挿通孔１１９が設けられ、いる。さらに、基片１１１には切り起しによるランプピン保持部１１０のストッパ片１２０が形成されている。
【０００４】
導電金具１０２の他の従来構成としては、図１０に示すように、基片１１１の途中にクランク状に曲折した片を形成することなく、ランプピン保持部１１０と基片１１１との間に芯線１０８が入り込まないように基片１１１の高さ寸法を大きくしたものや、図１１に示すように、基片１１１の一端側に形成する連結片１１２をランプピン保持部１１０の曲折方向とは反対側に曲折して、ランプピン保持部１１０と基片１１１との間に芯線１０８が入り込まないようにしたものがある。
【０００５】
次に、従来のグロースタータソケット用の速結端子装置について、図１２乃至図１９により説明する。図１２、図１３は、グロースタータソケットのランプピン挿入孔１２３の周辺構成と、ランプピンを保持すると共に電線の速結端子装置を持つ導電金具１０２の構成を示す。同ソケットは、絶縁性のボディに一対の導電金具１０２（図では片方のみを示す）を収納して構成され、同ボディに形成されたランプピン挿入孔１２３（大径部）からランプピン大径部１２５が挿入され、また、別の挿入口から電線１０７が挿入されて導電金具１０２に接続される。
導電金具１０２には、電線１０７の芯線１０８を接続する速結端子部１０９と、ランプピン大径部１２５を当接保持するランプピン保持部１１０とが一体に折り曲げ形成されている。
【０００６】
速結端子部１０９は、導電金具１０２の基片１１１の一端側をほぼ直角に曲折形成した導電部１２１と、基片１１１を切り起こし形成した鎖錠ばね部１１３とから成る。ランプピン保持部１１０はほぼ直線状に形成され、ランプピン保持時の支点１２２からランプピン保持位置までの距離が比較的大きい。ランプピンはランプピン小径部１２６がランプピン挿入孔１２３（小径部）の縁に案内されて保持位置まで回転移動される。ソケットのボディには、挿入された電線１０７が長いときに、過長電線（芯線）の先端を受け止める保護リブ１２７が形成されている。ランプピンによるランプピン保持部１１０の変位は、鎖錠ばね部１１３が開く方向である。ランプ装着時のクリック感は、主にランプピン挿入孔１２３の形状とランプピン保持部１１０の位置関係によるものであり、ランプピン大径部１２５の固定位置は図示の線ｌの位置であるが、回転途中の線ｍの位置で止まることもあり得る。
【０００７】
図１４、図１５は、従来の他の例によるグロースタータソケットのランプピン挿入孔周辺構成と導電金具を示す。この例における導電金具１０２では、その基片１１１の一端側を９０°以上に曲折してランプピン保持部１１０が形成され、基片１１１の他端側を曲折して速結端子部１０９が形成されている。この速結端子部１０９は、基片１１１を曲折形成した導電部１２１と、切り起こし形成した鎖錠ばね部１１３とから成る。導電部１２１の先端側には過長電線（芯線）の先端を受け止める受け部１２８が形成されている。この例におけるランプピン保持時のクリック感は上述の場合と同等である。
【０００８】
図１６、図１７は、従来のさらに他の例によるグロースタータソケットのランプピン挿入孔周辺構成と導電金具を示す。この例における導電金具１０２では、その基片１１１がランプピン保持部１１０となり、その先端側にランプ装着時のクリック感を出すための山型形状部１２９が形成され、他端側を９０°曲折して速結端子部１０９が形成されている。この速結端子部１０９は、基片１１１自体の導電部１２１と、曲折形成した鎖錠ばね部１１３とから成る。この構成では、過長電線（芯線）の先端を受け止める部材を設け難いことから、基片１１１自体を長くしている（ｘ）。ランプピン保持時のクリック感は得られるが、ランプピン保持の支点１２３からランプピン保持位置までの距離が比較的大きいので、ランプピン保持力は小さくなる。
【０００９】
図１８、図１９は、従来のさらに他の例によるグロースタータソケットのランプピン挿入孔周辺構成と導電金具を示す。この例における導電金具１０２では、その基片１１１の一端側が僅かに曲げられてランプピン保持部１１０となり、他端側に速結端子部１０９が形成されている。速結端子部１０９は、基片１１１に立設した導電部１２１と、基片１１１の側端より折り曲げ形成した鎖錠ばね部１１３とから成る。この構成においては、ランプピン保持の支点１２３からランプピン保持位置までの距離が比較的大きいので、ランプピン保持力は小さく、また、ランプピン保持時のクリック感も少なく、中途半端な位置でランプが装着されることがある。過長電線（芯線）の先端を受け止める構成は不要であるが、導電金具１０２自体の展開時の形状が直線状ではない。
【００１０】
【発明が解決しようとする課題】
上述したような、蛍光灯のランプソケットに使用される速結端子装置やグロースタータソケット用の速結端子装置においては、次のような問題がある。（１）図９乃至図１１に示した速結端子装置用の導電金具においては、いずれも電線１０７（芯線１０８）が導電板基部つまり基片１１１とランプピン保持部１１０との間に入ることを避ける構成とされているので、形状が複雑となる、高さ（縦）方向に大きくなる、幅方向（横）に大きくなる。
（２）ランプ挿入口又は挿入孔には、通常、遊びがあり、ランプが過大な力を受けると、ランプピン保持部が大きく変位する。そのストッパとして、一般にはソケットボディにリブを形成するが、袋状のソケットでは組み込み上、リブを配置することが難しい。そのため、図９に示したように、ストッパ片１２０を切り起こす等の対策が必要とされていた。
（３）図１２乃至図１９に示したようなグロースタータソケット用の速結端子装置において、ランプピン保持部を９０°以上の曲げにより形成したものでない場合は、支点までの距離が大きくなり、ランプ保持力が弱くなる。また、この場合のランプピン保持部の変位は、電線保持力を小さくする。
（４）ランプピン挿入孔の形状とランプ保持部との位置関係に工夫を施さなければ、心地よいクリック感が得られないため、ランプピン回動途中の中途半端な位置で固定されることがある。
（５）過長電線に対する保護のため、ソケット本体に保護リブを設ける、電線を受け止める受け部を設ける、導電金具の基片を長くとる、等の対策が別途に必要である。
【００１１】
本発明は、上記問題を解消するためになされたものであり、（１）導電板の基部とランプピン保持部との間に電線が挿入される構成として、構成の簡素化、小型化が図れ、また、ランプピン保持部が大きく変位しても、そのストッパとしてリブを設けるような対策が必要でなくなり、（２）ランプピン保持時の導電板の変位がランプ保持力と電線保持力を高め、（３）心地よいクリック感が得られてランプピンが中途半端な位置で固定されることがなくなり、（４）過長電線に対する保護のための対策を別途に必要としない、ランプ保持用ソケットに使用される速結端子装置とそれを用いたグロースタータソケットを提供することを目的とする。
【００１２】
【課題を解決するための手段】
上記目的を達成するために本発明は、絶縁性のソケット本体と、このソケット本体内に収納され、ランプピンを保持するランプピン保持ばね部及び外部から挿入される電線を接続する端子部が一体に形成された一対の導電板とから構成され、 前記ランプピン保持ばね部は前記導電板の基部の一端側を略直角以上に折り曲げることにより形成され、該ランプピン保持ばね部の先端付近には側面視山形状部が形成されており、前記速結端子部は前記導電板基部の他端側を前記ランプピン保持ばね部の位置する側と同じ側に略直角に折り曲げ形成され、前記導電板基部におけるランプピン保持ばね部形成のための折り曲げ部分の内側が前記速結端子部に挿入された電線の延長線上に配置されている速結端子装置において、前記山形状部を導電板基部から遠ざかる方向に突出させることにより、ランプピン保持ばね部の山形状部への変曲部にランプピン保持部を形成し、前記山形状部の先端を該ランプピン保持ばね部の延長線よりも導電板基部側へ突出させ、ランプピンが前記ランプピン保持部によって保持されていないとき、前記速結端子部より挿入された電線の先端が前記ランプピン保持ばね部の先端と導電板基部の間を通過し得るように構成され、ランプピンが前記ランプピン保持部によって保持されているとき、前記ランプピン保持ばね部の先端が、前記導電板基部とランプピン保持ばね部との間に挿入された電線に当接するものである。
【００１３】
上記構成においては、導電板を略直角以上に折り曲げてランプピン保持ばね部が形成されているので、ランプピン保持部とその支点間距離を短くでき、大きなランプピン保持力が得られる。また、速結端子部に接続された電線の先端側は導電板基部とランプピン保持ばね部との間に挿入されるが、ランプピン保持部が大きく変位して、その先端が電線に当接したとしても、ランプピン保持ばね部は２点支持ばねとなるので、保持力は十分に保たれる。従って、導電板にストッパ片やソケットにリブを設ける必要がない。また、ランプ装着時のランプピン保持部の変位は速結端子部に接続された電線が抜け易くなる方向ではない。また、ランプピン保持部に形成された山形状部により、ランプ装着時に心地良いクリック感が得られ、ランプピンが中途半端な位置で止まることが防止される。また、ランプピン保持ばね部を形成するための折り曲げの内側が、速結端子部に接続される電線の延長線上に位置するので、過長電線に対するストッパとして機能する。
【００１４】
請求項２の発明は、請求項１に記載の速結端子装置を引っ掛け型グローランプに適用したグロースタータソケットである。これにより、グローランプ装着のソケットにおいて上記と同等の作用が得られる。
【００１５】
【発明の実施の形態】
以下、本発明を具体化した実施形態に係る速結端子装置について図１乃至図４を参照して説明する。図１、図２において、本実施形態に係る速結端子装置は、引っ掛けスワン型グローランプ用のグロースタータソケットに適用されたものである。同ソケット１は、絶縁性のボディ４と、このボディ４内にソケット中心に対して対称位置に収納した一対の導電金具６，６とから構成されている。各導電金具６はボディ４内に側面開口より図１の矢印方向に装入される。ボディ４の上面にはグローランプ２０の一対のランプピン大径部２５が挿入されるランプピン挿入孔２３，２３が形成され、また、側面には電線９，９が挿入される電線挿入口１７，１７が形成されている。グローランプ２０のランプピンは、先端側がランプピン大径部２５、根元側がランプピン小径部２６とされている。各ランプピン挿入孔２３は、ランプピン大径部２５を受け入れる大径部と、ランプピン小径部２６を通す小径部とから成り、ソケット中心に対して略円弧上に対称に配置されている。グローランプ２０のランプピン大径部２５を各ランプピン挿入孔２３に挿入し回転させることで、また、各電線９を各電線挿入口１７から挿入することで、グローランプ２０及び各電線９は、各導電金具６にワンタッチで電気的及び機械的に接続される。
【００１６】
図２において中心から左半分はランプ固定状態を、右半分はランプ装着のための回転状態を示している。各導電金具６のランプピン保持ばね部７は、各ランプピン挿入孔２３の小径部の外周側に配置され、グローランプ２０を回転させていったときにランプピン大径部２５が該ばね部７の先端側の山形状部から接触するような位置関係とされている。また、ランプピン挿入孔２３の小径部は、グローランプ２０の回転移動時にランプピン小径部２６を案内するとともに、グローランプ２０の抜け止めと所定以上の回転移動を停止させる機能を持つ。
【００１７】
ここで、導電金具６の詳細構成について図３により説明する。導電金具６のランプピン保持ばね部７は、導電板基部６ａの一端側６ｂ（支点となる）を略９０°（直角）以上に折り曲げることにより形成され、ランプピン保持ばね部７の先端側には側面視山形状部７ａが形成されている。この山形状部７ａは導電板基部６ａから遠ざかる方向に突出させており、山形状部７ａへの変曲部をランプピン保持部７ｂとしている。また、山形状部７ａの先端７ｃは、ランプピン保持ばね部７の延長線よりも導電板基部６ａ側へ突出させている。
【００１８】
速結端子部８は、導電板基部６ａの他端側をランプピン保持ばね部７の位置する側と同じ側に略直角に折り曲げた辺８ａと、この辺８ａに切り起しにより形成した鎖錠ばね部８ｂと、導電板基部６ａ自身の導電部８ｃとから形成される。鎖錠ばね部８ｂの先端側とその切り起しにより形成された空間が、芯線１０の挿入口となる。また、導電板基部６ａにおけるランプピン保持ばね部７形成のための折り曲げ部分内側６ｃは、速結端子部８に挿入された芯線１０の延長線上に位置するような構成とされている。なお、導電金具６は、導電板固定部６ｄ，８ｄによりソケットボディ４内に係止される。
【００１９】
上記のように構成された導電金具６を用いた速結端子装置においては、図４（ａ）に示すように、速結端子部８に電線９を接続したとき、芯線１０の先端はランプピン保持ばね部７の先端７ｃと導電板基部６ａの間を通過した状態となり、この状態から、ランプピン３をランプピン保持ばね部７のランプピン保持部７ｂに保持させる。このとき、ランプピン３が挿入されるソケット１の回転子１２などの穴には、通常、遊びがあるため、蛍光灯２に過大な力が横方向に加わるとランプピン３が変位し、ランプピン保持ばね部７が過変形する。その場合にあっても、ランプピン保持ばね部７の山形状部７ａの先端７ｃは同ばね部７の延長線よりも導電板基部６ａ側へ突出させた形状としていることから、図４（ｂ）に示すように、ランプピン保持ばね部７の先端７ｃが芯線１０に当接する。
【００２０】
これにより、ランプピン保持ばね部７は、導電板基部６ａの一端側６ｂとランプピン保持ばね部７の先端７ｃとを支点（共に黒点で示す）とした２点支持ばねとして機能し、ばね性を失わないものとなる。このため、ランプピン保持性能を保ったまま、速結端子装置、ソケット１自体の小型化、簡素化が可能となる。また、芯線１０がランプピン保持ばね部７の稼動域を制限するストッパの機能を果たすので、ストッパを別途に設ける必要がなくなる。なお、上記のようにランプピン３に過大な力が加わった場合の他に、ランプピン３の間隔が広い場合においても、上記作用が得られる。
【００２１】
グローランプ２０をソケット１に装着するときは、ランプピン大径部２５をランプピン挿入孔２３の大径部に挿入させ、図２の矢印方向に回転させる。ランプ２０の回転に伴い、各ランプピン大径部２５が各ランプピン保持ばね部７の先端側から山形状部を乗り越えて保持される。このとき、適度なクリック感が得られるので、ランプ２０が中途半端な位置に保持されることはない。また、速結端子部８に接続された芯線１０の先端は、ランプピン保持ばね部７の曲げ内面側と導電板基部との間に挿入され、これらが過長電線のストッパとして機能する。
【００２２】
次に、速結端子装置を直管蛍光灯２の両端に位置するランプピン３を保持するためのソケット１に適用した実施形態について図５、図６を参照して説明する。
ソケット１は、ソケット本体を構成する樹脂材等でなる絶縁性のソケットボディ４及びカバー５と、ソケットボディ４内に収納固定された一対の導電金具６，６（導電板）とから構成される。各導電金具６は、銅合金等の板材から製作され、ランプピン３を保持するランプピン保持ばね部７及び速結端子部８が一体に形成されている。速結端子部８には、外部から挿入される電線９の芯線１０がワンタッチで電気的及び機械的に接続固定される。カバー５には開口部１１が形成され、その開口部１１内に回転子１２がソケットボディ４の筒部１３に回転自在に支持されている。ソケットボディ４、カバー５及び回転子１２のそれぞれには、ソケット１に蛍光灯２を装着する際にランプピン３を挿通させるためのランプピン挿通溝１４，１５，１６が形成されている。
【００２３】
導電金具６には、上述した通り、電線９の芯線１０を接続する速結端子部８と、ランプピン大径部２５を当接保持するランプピン保持ばね部７とが一体に折り曲げ形成されている。速結端子部８は、導電金具６の基片の一端側をほぼ直角に曲折形成した導電部と、基片を切り起こし形成した鎖錠ばね部とから成る。ランプピン保持ばね部７は、導電板基部の一端側（支点となる）を略９０°以上に折り曲げることにより形成され、その先端側には導電板基部から遠ざかる方向に突出させた側面視山形状部が形成されている。
【００２４】
導電金具６の各々は、ソケットボディ４内の左右対称位置にセツトされる。また、電線９，９はソケットボディ４の側面に設けられた電線挿入口１７，１７より挿入され、速結端子部８に速結される。ソケットボディ４は、不図示の照明器具本体のソケット取り付け部に取付けられる。ソケット１に蛍光灯２を装着する際は、ランプピン３をランプピン挿通溝１４，１５，１６に挿通させて所定位置にセットし、蛍光灯２を回転させることで、回転子１２も一体となって回転し、それにより、ランプピン３が抜け止め状態となると同時に、導電金具６のランプピン保持ばね部７に保持され、電気的及び機械的に接続固定される。
【００２５】
蛍光灯２をソケット１の所定位置にセットし、図６の矢印Ａ方向に回転させることで、少なくとも一方のランプピン３は、ランプピン保持ばね部７の先端７ｃ側から山形状部７ａを乗り越えたランプピン保持部７ｂ位置で保持される。このようにしてランプピン３がランプピン保持ばね部７に保持されるので、装着時に良好なクリック感が得られる。また、導電板基部６ａの一端側６ｂ（支点）とランプピン保持部７ｂとの距離が比較的短いので、大きなランプピン保持力が得られる。
【００２６】
さらに、速結端子部８より挿入された電線９の芯線１０先端は、ランプピン保持ばね部７つまり山形状部７ａの先端７ｃと導電板基部６ａの間を通過し得るようになっている。上述したようにランプピン保持ばね部７の折り曲げ部分内側６ｃが速結端子部８に挿入された芯線１０の延長線上に位置することから、特別なストッパを必要とすることなく、挿入された芯線１０は、長くても、折り曲げ部分内側６ｃで止まるので、ソケット１自体の小型化を図ることができる。その他、上述したグロースタータソケットの実施形態と同等の作用効果が得られる。
【００２７】
次に、図７（ａ）（ｂ）を参照して、従来例として図１０に示した導電金具１０２を用いた場合と、上記各実施形態に示したような導電金具６を用いた場合とにおける作用効果の差異を対比説明する。図７（ａ）に示す従来例の場合、ランプピン保持部１１０のライトピン係合部１１５が導電板基片１１１に向けて突出形成されているので、導電板基片１１１又は挿入された電線にライトピン係合部１１５が接触すると、ばね性を失う。その対策を取るため、導電金具としては、図示の長さｄ，ｈを大きくする、または、図９若しくは図１１に示したような形状とする。それにより、速結端子装置の大型化、複雑化、ソケットの大型化を招く。また、ライトピン係合部１１５の突出量が多くて、速結端子装置に挿入された電線の先端が該係合部１１５に当接すると、電線が十分に挿入されずに、芯線部が露出してしまう。
【００２８】
一方、図７（ｂ）に示す本実施形態の導電金具６によれば、ランプピン保持ばね部７に形成した山形状部７ａは導電板基部６ａから遠ざかる方向に突出させており、また、山形状部７ａの先端７ｃをランプピン保持ばね部７の延長線よりも導電板基部６ａ側へ突出させているので、上記のように、ばね性を失う事態にはならない。従って、上記のような対策を取る必要がなく、速結端子装置の小型化、簡素化を図ることができる。
【００２９】
なお、本発明は上記実施形態の構成に限られることなく、種々の変形が可能である。例えば、速結端子装置が収納されるソケットには各種形態のものが適用可能である。
【００３０】
【発明の効果】
以上説明したように本発明によれば、（１）導電板を略直角以上に折り曲げて形成したランプピン保持ばね部に、クリック感を発生させるための山形状部を導電板基部から遠ざかる方向に突出させ、山形状部の先端をランプピン保持ばね部の延長線よりも導電板基部側へ突出させる形状としたので、ランプピン保持部が大きく変位して、ランプピン保持ばね部の先端が、導電板基部とランプピン保持ばね部との間に挿入された電線に当接したとしても、ランプピン保持ばね部は２点支持ばねとなるので、保持力が弱くなることがない。従って、従来のように導電板の形状が複雑になったり、ストッパ片やリブを設ける必要がなくなり、速結端子装置やソケットの構成を簡素化、小型化することができる。
（２）導電板を略直角以上に折り曲げてランプピン保持ばね部を形成したので、ランプピン保持部とその支点間距離を短くでき、従って、小さい変位で大きなランプピン保持力が得られる。また、ランプピン保持部と速結端子部との独立性を保てるので、ランプピン保持部の変位によって、電線が抜け易くなることがなくなる。
（３）ランプピン保持部に山形状部を形成したので、ランプ装着時に心地良いクリック感が得られ、また、ランプピンがランプピン保持部の中途半端な位置で止まることを防止でき、使用中にランプが外れるといったことがなくなる。
（４）ランプピン保持ばね部を形成するための折り曲げの内側が電線の延長線上にくるように速結端子部を配置しているので、折り曲げ部内側が過長電線のストッパの役目を果たし、このため、導電板に特別の受け部を必要としたり、ソケットにリブを別途に設ける必要がなくなる。
【図面の簡単な説明】
【図１】    本発明の一実施形態に係る速結端子装置を収納したグローソケットの分解斜視図。
【図２】    同ソケットの部分断面平面図。
【図３】    速結端子装置を成す導電金具の斜視図。
【図４】    （ａ）（ｂ）は速結端子装置にランプピンを保持させる前後を示す図。
【図５】    本発明の他の実施形態に係る速結端子装置を収納したランプピンを保持するソケットの分解斜視図。
【図６】    同ソケットボディの平面図。
【図７】  （ａ）（ｂ）は従来例と本実施形態との導電金具の作用効果を対比説明するための図。
【図８】    従来の速結端子装置を採用したソケットの部分断面図。
【図９】    同速結端子装置に用いられている導電金具の斜視図。
【図１０】  導電金具の他の従来例を示す斜視図。
【図１１】  導電金具のさらに他の従来例を示す斜視図。
【図１２】  従来のグローソケットの要部構成を示す図。
【図１３】  同ソケットに使用されている導電金具の斜視図。
【図１４】  従来のグローソケットの要部構成を示す図。
【図１５】  同ソケットに使用されている導電金具の斜視図。
【図１６】  従来のグローソケットの要部構成を示す図。
【図１７】  同ソケットに使用されている導電金具の斜視図。
【図１８】  従来のグローソケットの要部構成を示す図。
【図１９】  同ソケットに使用されている導電金具の斜視図。
【符号の説明】
１  ソケット
３  ランプピン
４  ソケットボディ
６，６  導電金具（導電板）
６ａ  導電板基部
７  ランプピン保持ばね部
７ａ  山形状部
７ｂ  ランプピン保持部
８  速結端子部
９  電線
２０  グローランプ
２５  ランプピン大径部
【図１】
0004560986.tif 000002
【図２】
0004560986.tif 000003
【図３】
0004560986.tif 000004
【図４】
0004560986.tif 000005
【図５】
0004560986.tif 000006
【図６】
0004560986.tif 000007
【図７】
0004560986.tif 000008
【図８】
0004560986.tif 000009
【図９】
0004560986.tif 000010
【図１０】
0004560986.tif 000011
【図１１】
0004560986.tif 000012
【図１２】
0004560986.tif 000013
【図１３】
0004560986.tif 000014
【図１４】
0004560986.tif 000015
【図１５】
0004560986.tif 000016
【図１６】
0004560986.tif 000017
【図１７】
0004560986.tif 000018
【図１８】
0004560986.tif 000019
【図１９】
0004560986.tif 000020